(57)【特許請求の範囲】
【請求項１】
共鳴空間を仕切り壁で仕切って複数の共鳴室が画成されたレゾネータにおいて、
前記共鳴空間を画成する外郭を構成し、前記仕切り壁が設けられた第１分割部と、
前記共鳴空間を画成する外郭を構成し、前記第１分割部と互いに突き合わせた外縁が固定される第２分割部とを備え、
前記第２分割部は、
前記仕切り壁の先端縁が嵌合する溝状に形成され、該仕切り壁の先端縁を板厚方向に挟む嵌合部と、
前記嵌合部よりも前記仕切り壁の根元側へ延出するように形成され、前記仕切り壁を嵌合部に挿入する方向に向かうにつれて該嵌合部の溝開口縁へ向かうように傾斜する案内面を有する案内部とを備えた
ことを特徴とするレゾネータ。
【請求項２】
前記仕切り壁は、一面が開放する箱状に形成された前記第１分割部の開口縁よりも外方へ延出するように形成され、
前記第２分割部は、前記嵌合部に連なる溝状に形成されて、前記仕切り壁において前記開口縁よりも延出する延出部分の側縁を板厚方向に挟む挟持部を備えた請求項１記載のレゾネータ。
【請求項３】
互いに外縁を突き合わせた際に前記嵌合部に嵌まった前記仕切り壁の先端面と該嵌合部の底との間に隙間があくように設定された前記第１分割部および前記第２分割部は、その外縁を溶着してある請求項１または２記載のレゾネータ。
【請求項４】
前記案内部は、前記仕切り壁の板面に相対する前記案内面が、前記嵌合部の溝開口縁に連なると共に、前記仕切り壁の根元側へ向かうにつれて該仕切り壁の板面より離れるように傾斜して形成された請求項１〜３の何れか一項に記載のレゾネータ。
【請求項５】
前記案内部が、前記仕切り壁を板厚方向に挟んで前記案内面が対向するように配置された請求項１〜４の何れか一項に記載のレゾネータ。
【請求項６】
前記第１分割部および前記第２分割部の何れか一方は、ダクトにおける空気流通路を画成するダクト分体と一体的に形成された請求項１〜５の何れか一項に記載のレゾネータ。
【発明の詳細な説明】
【技術分野】
【０００１】
この発明は、内燃機関の吸気系に設けられるレゾネータに関するものである。
【背景技術】
【０００２】
自動車等の車両に搭載された内燃機関は、吸気ダクトを介して空気を吸い込む際に発生する吸気騒音を低減するために、レゾネータが吸気ダクトの途中に配設されている。レゾネータは、中空の箱状体であり、箱状体の内部に画成された共鳴空間による共鳴作用を利用して吸気音などを低減するようになっている。このようなレゾネータとしては、共鳴空間を画成する本体ケースの内部を仕切り板で複数の共鳴室に区画して、それぞれの共鳴室において狙いとする伝播音の周波数成分を低減することで、幅広い周波数帯に対応できる、タンデムレゾネータと呼ばれるものが提案されている(例えば特許文献１参照)。
【０００３】
前記レゾネータは、樹脂を成形した上半体と下半体とを組み合わせて構成される。例えば、レゾネータは、共鳴空間の下側をなす上方に開口する下半体と、共鳴室の上側をなす下方に開口する上半体とを、開口縁に延出形成されたフランジ部で互いに突き合わせて熱溶着することで、共鳴空間を内部に有する箱状とされる。そして、タンデムレゾネータは、下半体と上半体とのそれぞれに一体的に形成された仕切り板の先端を互いに突き合わせて共鳴空間を区切ったり、下半体または上半体の一方に一体的に形成された仕切り板の先端を相手側に突き当てて、共鳴空間を仕切っている。
【先行技術文献】
【特許文献】
【０００４】
【特許文献１】実開平５−７５４６９号公報
【発明の概要】
【発明が解決しようとする課題】
【０００５】
前記タンデムレゾネータは、半体から立ち上がるように形成される仕切り板が成形収縮等により変形して、上下の半体を組み合わせた際に仕切り板の先端と相手側との接合不良が生じることがある。このような仕切り板の接合不良が生じて、仕切り板で共鳴室の間を適切に仕切ることができないと、それぞれの共鳴室において狙いとする周波数成分の低減効果が低下してしまう。
【０００６】
すなわち本発明は、従来の技術に係る前記問題に鑑み、これらを好適に解決するべく提案されたものであって、仕切り壁によって共鳴室の間が適切に仕切られたレゾネータを提供することを目的とする。
【課題を解決するための手段】
【０００７】
前記課題を克服し、所期の目的を達成するため、本願の請求項１に係る発明のレゾネータは、
共鳴空間を仕切り壁で仕切って複数の共鳴室が画成されたレゾネータにおいて、
前記共鳴空間を画成する外郭を構成し、前記仕切り壁が設けられた第１分割部と、
前記共鳴空間を画成する外郭を構成し、前記第１分割部と互いに突き合わせた外縁が固定される第２分割部とを備え、
前記第２分割部は、
前記仕切り壁の先端縁が嵌合する溝状に形成され、該仕切り壁の先端縁を板厚方向に挟む嵌合部と、
前記嵌合部よりも前記仕切り壁の根元側へ延出するように形成され、前記仕切り壁を嵌合部に挿入する方向に向かうにつれて該嵌合部の溝開口縁へ向かうように傾斜する案内面を有する案内部とを備えたことを要旨とする。
請求項１に係る発明によれば、第１分割部と第２分割部とを組み合わせる際に、嵌合部の溝開口へ向けて傾斜する案内部の案内面で仕切り壁が嵌合部に挿入されるように案内できるので、仕切り壁の先端縁を嵌合部に確実に嵌め合わせることができる。また、レゾネータは、嵌合部に嵌合した仕切り壁の先端縁が嵌合部に板厚方向に挟まれる構成であるから、仕切り壁で共鳴室の間を適切に仕切ることができる。そして、レゾネータは、共鳴室間が適切に仕切られているから、それぞれの共鳴室において狙いとする周波数成分の低減効果を得ることができる。
【０００８】
請求項２に係る発明では、前記仕切り壁は、一面が開放する箱状に形成された前記第１分割部の開口縁よりも外方へ延出するように形成され、
前記第２分割部は、前記嵌合部に連なる溝状に形成されて、前記仕切り壁において前記開口縁よりも延出する延出部分の側縁を板厚方向に挟む挟持部を備えたことを要旨とする。
請求項２に係る発明によれば、第１分割部と第２分割部とを組み合わせる際に、第１分割部の外縁よりも延出する仕切り壁の延出部分側縁を挟持部によって案内して、挟持部と連なる嵌合部に仕切り壁の先端縁を挿入するように案内できるので、仕切り壁の先端縁を嵌合部により確実に嵌め合わせることができる。また、レゾネータは、挟持部に嵌合した仕切り壁の延出部分側縁が挟持部に板厚方向に挟まれる構成であるから、仕切り壁で仕切った共鳴室の間をより適切に仕切ることができる。そして、レゾネータは、共鳴室間が適切に仕切られているから、それぞれの共鳴室において狙いとする周波数成分の低減効果を得ることができる。
【０００９】
請求項３に係る発明では、互いに外縁を突き合わせた際に前記嵌合部に嵌まった前記仕切り壁の先端面と該嵌合部の底との間に隙間があくように設定された前記第１分割部および前記第２分割部は、その外縁を溶着してあることを要旨とする。
請求項３に係る発明によれば、仕切り壁の先端面と嵌合部の底との間に設定された隙間によって、第１分割部と第２分割部との溶着により発生する誤差を吸収することができる。
【００１０】
請求項４に係る発明では、前記案内部は、前記仕切り壁の板面に相対する前記案内面が、前記嵌合部の溝開口縁に連なると共に、前記仕切り壁の根元側へ向かうにつれて該仕切り壁の板面より離れるように傾斜して形成されたことを要旨とする。
請求項４に係る発明によれば、第１分割部と第２分割部とを組み合わせる際に、嵌合部の溝開口へ向けて傾斜する案内部の案内面で仕切り壁が嵌合部に挿入されるよう、より適切に案内できる。
【００１１】
請求項５に係る発明では、前記案内部が、前記仕切り壁を板厚方向に挟んで前記案内面が対向するように配置されたことを要旨とする。
請求項５に係る発明によれば、第１分割部と第２分割部とを組み合わせる際に、嵌合部の溝開口へ向けて傾斜する案内部の案内面で仕切り壁が嵌合部に挿入されるよう、より適切に案内できる。
【００１２】
請求項６に係る発明では、前記第１分割部および前記第２分割部の何れか一方は、ダクトにおける空気流通路を画成するダクト分体と一体的に形成されたことを要旨とする。
請求項６に係る発明によれば、第１分割部および第２分割部の何れか一方を、ダクトにおける空気流通路を画成するダクト分体と一体的に形成することで、部品点数を減らすことができる。
【発明の効果】
【００１３】
本発明に係るレゾネータによれば、仕切り壁によって共鳴室の間が適切に仕切られているので、それぞれの共鳴室で狙いとする周波数領域の共鳴音を効果的に低減することができる。
【図面の簡単な説明】
【００１４】
【図１】本発明の好適な実施例に係るレゾネータを備えた吸気ダクトを示す概略斜視図である。
【図２】実施例のレゾネータおよび第１ダクト分体を示す概略斜視図である。
【図３】実施例の第１分割部および第１ダクト分体を示す概略斜視図である。
【図４】実施例の第２分割部を示す概略斜視図である。
【図５】(ａ)は実施例のレゾネータを案内部が設けられていない位置で破断した端面図であり、(ｂ)は嵌合部を示す要部断面図であり、(ｃ)は仕切り壁を嵌合部に挿入する状況を示す説明図である。
【図６】(ａ)は実施例のレゾネータを案内部が設けられた位置で破断した端面図であり、(ｂ)は案内部を示す要部断面図である。
【図７】(ａ)は図５のＡ−Ａ線で破断した断面図であり、(ｂ)は第１分割部と第２分割部との組み付け状況を示す説明図である。
【発明を実施するための形態】
【００１５】
次に、本発明に係るレゾネータにつき、好適な実施例を挙げて、添付図面を参照して以下に説明する。なお、以下の説明において、内燃機関の吸気系を構成する吸気ダクトの車両への取付状態を基準として、吸気ダクトおよびレゾネータの前後左右上下を指称する。
【実施例】
【００１６】
図１に示すように、実施例に係るレゾネータ２０は、車両用の吸気ダクト(ダクト)１０に設けられている。吸気ダクト１０は、一端に形成された取入口１０ａから他端に形成された送出口１０ｂに繋がる空気流通路１２が画成された筒状体であり、エンジンルームの前側に設置されるラジエターを固定するためのラジエターサポートの上部に取入口１０ａ側が固定される。また、吸気ダクト１０は、送出口１０ｂがエンジンルームに設置されたエンジンに繋がるエアクリーナー(吸気装置)に接続され、車体の前側に配置される取入口１０ａから取り込んだ空気を、送出口１０ｂからエアクリーナーに送り出すようになっている。吸気ダクト１０は、車両前方に向けて開口する取入口１０ａから斜め下方へ湾曲した後に送出口１０ｂが車両後方に向けて開口するように空気流通路１２が形成されている。吸気ダクト１０は、下方に開放した溝形に形成されて、空気流通路１２の上側を構成する第１ダクト分体１４と、上方に開放した溝形に形成されて、空気流通路１２の下側を構成する第２ダクト分体１６とから構成されている。吸気ダクト１０は、第１ダクト分体１４と第２ダクト分体１６とを、互いに突き合わせた側縁を接合することで、筒状に組み立てられている。なお、レゾネータ２０および吸気ダクト１０は、ポリプロピレン(ＰＰ)などからインジェクション成形等によって成形した樹脂成形部品を組み合わせて構成されている。
【００１７】
図１および図２に示すように、前記レゾネータ２０は、吸気ダクト１０の第１ダクト分体１４の上面に、空気流通路１２における斜めに延在する部分から、その下流側で送出口１０ｂに連なる部分にかけて設けられている。レゾネータ２０は、第１ダクト分体１４と一体的に形成された第１分割部２２と、吸気ダクト１０とは別体に形成された第２分割部２４とから基本的に構成される。レゾネータ２０は、互いに突き合わせた外縁を互いに固定して箱状に組み合わせた第１分割部２２および第２分割部２４によって、中空の共鳴空間２１を画成する外郭が構成されている。また、レゾネータ２０は、仕切り壁２６で共鳴空間２１を仕切って複数の共鳴室２１ａ,２１ｂが画成されている(図５および図６参照)。実施例では、空気流通路１２の空気流通方向と交差する左右方向に延在する仕切り壁２６により、共鳴空間２１が空気流通方向前後に仕切られて、２つの共鳴室２１ａ,２１ｂが設けられている。なお、実施例のレゾネータ２０は、仕切り壁２６が共鳴空間２１の前側に偏倚して配置されて、空気流通方向前側に設けられた第１共鳴室２１ａが、空気流通方向後側に設けられた第２共鳴室２１ｂよりも容積が小さくなるよう設定されている。更に、レゾネータ２０には、共鳴室２１ａ,２１ｂと空気流通路１２とを繋げる連通部２８,２９が、共鳴空間２１の下壁を構成する第１ダクト分体１４を貫通して、共鳴室２１ａ,２１ｂのそれぞれに対応して設けられている(図２,図５(ａ)および図６(ａ)参照)。レゾネータ２０は、第１共鳴室２１ａに繋がる第１連通部２８が、空気流通路１２における斜めに延在する部分に開口すると共に、第２共鳴室２１ｂに繋がる第２連通部２９が、第１連通部２８より下流側で空気流通路１２における送出口１０ｂに連なる部分に開口している。
【００１８】
図３に示すように、前記第１分割部２２は、第１ダクト分体１４と、第１ダクト分体１４の上面から立ち上がって角環状に連続的に連なる第１外壁３０とによって上方へ開口する箱状に形成されている。第１分割部２２は、共鳴空間２１の下側部分(連通部２８,２９が設けられる側)を画成する外郭を構成している。実施例の第１分割部２２は、上部開口を画成する第１外壁３０の上縁(外縁)が、該第１分割部２２の底をなす第１ダクト分体１４の上面に合わせて形成されている。具体的には、第１外壁３０の上縁は、水平に延在する上側延在部分から後方へ向かうにつれて下方傾斜する傾斜延在部分の後方に、上側延在部分よりも下側で水平に延在する下側延在部分が連なるように形成されている。また、第１分割部２２の上部開口縁をなす第１外壁３０の上縁には、第２分割部２４の外縁と突き当てて接合される第１接合部３２が設けられている。
【００１９】
図３に示すように、前記仕切り壁２６は、第１分割部２２において第２分割部２４と対向する底面(第１ダクト分体１４の上面)から立ち上がるように設けられ、その板厚方向に共鳴室２１ａ,２１ｂが並ぶように共鳴空間２１を仕切っている。仕切り壁２６は、第１ダクト分体１４の上面から第１外壁３０と同一方向へ立ち上がると共に、互いに対向する第１外壁３０の間に亘って空気流通路１２と交差するように延在している(図７参照)。また、仕切り壁２６は、第１外壁３０の上縁の第１接合部３２よりも上方(外方)へ延出するように形成され、第１接合部３２よりも延出する延出部分(以下、仕切り延出部分という)が第２分割部２４の内側に挿入される。仕切り壁２６は、第１分割部２２において第１外壁３０の上縁が上側延在部分となる部位に対応して配置され、先端縁が第１外壁３０の上縁における上側延在部分よりも上方に突き出ている。更に、仕切り壁２６は、板厚が第１ダクト分体１４(根元)から先端縁に向かうにつれて薄くなるように形成されている(図５および図６参照)。なお、第１ダクト分体１４、第１分割部２２および仕切り壁２６は、同一の成形型による型成形によって一体的に形成される。
【００２０】
図４に示すように、前記第２分割部２４は、第１ダクト分体１４の上面(第１分割部２２の底)に相対する上壁３４と、上壁３４の下面から垂下して角環状に連続的に連なる第２外壁３６とによって下方へ開口する箱状に形成されている。第２分割部２４は、共鳴空間２１の上側部分を画成する外郭を構成している。実施例の第２分割部２４は、下部開口を画成する第２外壁３６の下縁(外縁)が、第１外壁３０の上縁と合うように、第１分割部２２の底をなす第１ダクト分体１４の上面に合わせて形成されている。具体的には、第２外壁３６の下縁は、水平に延在する上側延在部分から後方へ向かうにつれて下方傾斜する傾斜延在部分の後方に、上側延在部分よりも下側で水平に延在する下側延在部分が連なるように形成される。また、第２外壁３６の下縁には、第１分割部２２の第１接合部３２と突き当てて接合される第２接合部３８が設けられている。そして、第１分割部２２と第２分割部２４とは、外縁の接合部３２,３８を熱によって溶融させて接合する熱溶着によって、突き合わせた外縁が互いに固定されている。
【００２１】
図４に示すように、前記第２分割部２４は、第１分割部２２に設けられた仕切り壁２６の先端縁を板厚方向に挟む嵌合部４０と、仕切り壁２６の先端縁が嵌合部４０に嵌合するように案内する案内部４２とを備えている。また、第２分割部２４は、仕切り壁２６において第１接合部３２より上方へ延出する仕切り延出部分の側縁を板厚方向に挟む挟持部４４を備えている。レゾネータ２０は、仕切り壁２６の先端縁を第２分割部２４の嵌合部４０に嵌め合わせると共に、仕切り壁２６の仕切り延出部分側縁を第２分割部２４の挟持部４４に嵌め合わせて、仕切り壁２６の先端縁および側縁を第２分割部２４に接着または溶着することなく、２つの共鳴室２１ａ,２１ｂの間を仕切るように構成される(図５〜図７(ａ)参照)。
【００２２】
図５に示すように、嵌合部４０は、第２分割部２４における上壁３４の下面に、仕切り壁２６に相対するように設けられている。嵌合部４０は、互いに対向する第２外壁３６の間に亘って空気流通路１２と交差するように延在し、仕切り壁２６の先端縁が嵌合する溝状に形成されている。実施例の嵌合部４０は、仕切り壁２６における仕切り延出部分の先端縁全体に亘って嵌合する溝状に形成されている(図４参照)。嵌合部４０は、上壁３４の下面から第２外壁３６と同一方向である下方(仕切り壁２６の根元側)へ延出するよう形成されて、空気流通方向前後に対向配置された一対の板状片の間に画成される溝である。嵌合部４０は、その溝幅(対向する板状片の間隔)が仕切り壁２６の先端縁の板厚と同じまたはわずかに小さく設定され、向かい合う仕切り壁２６の板面と嵌合部４０の溝壁とが接するようになっている。また、第１分割部２２および第２分割部２４の接合部３２,３８(外縁)を互いに突き合わせた際に、嵌合部４０に嵌まった仕切り壁２６の先端面(上面)と嵌合部４０の底(天井面)との間に隙間があくように設定されている。ここで、仕切り壁２６の先端面と嵌合部４０の底との隙間は、第１分割部２２と第２分割部２４との熱溶着に際して、溶融して短くなる接合部３２,３８の溶着代を勘案して設定される。例えば接合部３２,３８のそれぞれに１ｍｍずつの溶着代を見込むのであれば、前記隙間が２ｍｍ以上に設定され、第１分割部２２と第２分割部２４とを熱溶着してレゾネータ２０として構成した際に、仕切り壁２６の先端面と嵌合部４０の底とが接するまたはわずかに間隔(図５(ｂ))があくようになっている。第１分割部２２および第２分割部２４の接合部３２,３８を互いに突き合わせた際には、仕切り壁２６の先端縁が嵌合部４０に挿入された状態になっている。なお、第２分割部２４は、上壁３４における嵌合部４０の形成部位が下方(共鳴空間２１の内側)へ凹むように屈曲しており、この凹部３５の凸端面に嵌合部４０が設けられている。
【００２３】
図５および図６に示すように、案内部４２は、第２分割部２４における上壁３４の下面から垂下して、嵌合部４０の溝開口よりも下方(仕切り壁２６の根元側)へ延出するように形成されている。また、案内部４２は、仕切り壁２６を嵌合部４０に挿入する方向(挿入方向)に向かうにつれて、該嵌合部４０の溝開口縁へ向かうように傾斜する案内面４３を有している。案内部４２は、上壁３４の下面から第２外壁３６と同一方向である下方へ延出するよう形成された板状の突片であり、上壁３４の凹部３５の側面から凸端面にかけて、嵌合部４０の脇に該嵌合部４０の溝開口と重ならないように設けられている。案内部４２は、その板厚方向が嵌合部４０の溝の延在方向と同じになるように設けられ、嵌合部４０の溝側の端面が案内面４３となっている。第２分割部２４には、仕切り壁２６を板厚方向に挟んで案内面４３が対向するように、対をなす案内部４２,４２が配置されており(図６参照)、対をなす案内部４２,４２の組が、嵌合部４０の溝の延在方向に離間して複数組設けられている(図７参照)。案内部４２は、仕切り壁２６の板面に相対する案内面４３が、嵌合部４０の溝開口縁に連なると共に、下方へ向かうにつれて該仕切り壁２６の板面より離れるように傾斜して形成されている。対をなす案内部４２,４２は、嵌合部４０を挟んで対称な形状になっている。対をなす案内部４２,４２の案内面４３,４３間の間隔は、仕切り壁２６の根元側(共鳴空間２１の内側)から嵌合部４０の溝開口へ向かうにつれて狭くなるように構成され、仕切り壁２６の板厚よりも大きく設定されている。
【００２４】
図４および図７に示すように、挟持部４４は、第２分割部２４における第２外壁３６の内面に、嵌合部４０に連なるように設けられている。第２分割部２４には、仕切り壁２６の側端面を挟んで対向する第２外壁３６のそれぞれに挟持部４４が設けられ、対向配置された挟持部４４を対称な形状としてある。挟持部４４は、仕切り壁２６の挿入方向に延在し、嵌合部４０に嵌合する先端縁を除く仕切り壁２６の仕切り延出部分側縁に嵌合する溝状に形成されている。実施例の挟持部４４は、第２外壁３６の内面から共鳴空間２１の内側へ延出するよう形成されて、空気流通方向前後に対向配置された一対の板状片の間に画成される溝で構成される。挟持部４４は、その溝幅(対向する板状片の間隔)が仕切り壁２６の板厚と同じまたはわずかに小さく設定され、向かい合う仕切り壁２６の板面と挟持部４４の溝壁とが接するようになっている。また、挟持部４４に嵌まった仕切り壁２６の側端面は、挟持部４４の底(第２外壁３６の内面)に接するように設定しても、挟持部４４に嵌まった仕切り壁２６の側端面と挟持部４４の底との間に隙間があくように設定しても、何れであってもよい。なお、挟持部４４に嵌まった仕切り壁２６の側端面と挟持部４４の底との間に隙間があくように設定することで、この隙間によって仕切り壁２６および第２分割部２４との間の寸法誤差を吸収することができる。挟持部４４を画成する板状片は、下端面が第２接合部３８の下端面と揃うように形成されて、第１分割部２２の第１接合部３２と接合される。また、挟持部４４は、第１分割部２２と第２分割部２４とを組み付ける際に仕切り壁２６の挿入始端となる下部開口が、上から下に向かうにつれて広くなるように開いている。
【００２５】
〔実施例の作用〕
次に、実施例に係るレゾネータ２０の作用について説明する。第１分割部２２の第１接合部３２および第２分割部２４の第２接合部３８を熱板で加熱して、溶融させた第１接合部３２と第２接合部３８を互いに突き合わせることで、第１分割部２２と第２分割部２４とを溶着したレゾネータが得られる。仕切り壁２６は、第１分割部２２および第１ダクト分体１４にリブ形状で一体的に成形されるので、成形収縮等に起因して板厚方向や立設方向(嵌合部４０への挿入方向)に変形することがある。実施例のレゾネータ２０によれば、第１分割部２２と第２分割部２４とを組み合わせる際に、嵌合部４０の溝開口へ向けて傾斜する案内部４２の案内面４３で案内して、板厚方向へ変形した仕切り壁２６の先端縁を本来あるべき位置に矯正することができ、仕切り壁２６の先端縁を嵌合部４０に確実に嵌め合わせることができる。案内部４２は、仕切り壁２６の板面に相対する案内面４３が、嵌合部４０の溝開口縁に連なると共に、仕切り壁２６の根元側へ向かうにつれて該仕切り壁２６の板面より離れるように傾斜して形成されているので、第１分割部２２と第２分割部２４との突き合わせに合わせて、板厚方向へ変形した仕切り壁２６の先端縁を嵌合部４０に円滑に案内することができる。第２分割部２４には、仕切り壁２６を板厚方向に挟んで案内面４３が対向するよう、対をなす案内部４２,４２が配置されているから、仕切り壁２６が板厚方向の何れの向きに変形していたとしても、仕切り壁２６の先端縁を適切な位置に矯正することができ、仕切り壁２６の先端縁を嵌合部４０に、より確実に嵌め合わせることができる。また、嵌合部４０は、溝状に形成されているので、仕切り壁２６の立設方向への収縮を溝の深さにより吸収して、仕切り壁２６の先端縁を嵌合部４０に確実に嵌め合わせることができる。そして、レゾネータ２０は、嵌合部４０に嵌合した仕切り壁２６における仕切り延出部分の先端縁が全体に亘って嵌合部４０に板厚方向に挟まれる構成であるから、仕切り壁２６で仕切った共鳴室２１ａ,２１ｂの間を塞ぐことができる。
【００２６】
実施例のレゾネータ２０によれば、第１分割部２２と第２分割部２４とを組み合わせる際に、第１分割部２２の外縁よりも延出する仕切り壁２６の延出部分側縁を挟持部４４によって案内して、挟持部４４と連なる嵌合部４０に仕切り壁２６の先端縁が挿入されるように誘導できるので、仕切り壁２６の先端縁を嵌合部４０により確実に嵌め合わせることができる。また、レゾネータ２０は、挟持部４４に嵌合した仕切り壁２６の延出部分側縁が挟持部４４に板厚方向に挟まれる構成であるから、仕切り壁２６で仕切った共鳴室２１ａ,２１ｂの間をより確実に塞ぐことができる。レゾネータ２０は、仕切り壁２６を嵌合部４０および挟持部４４に嵌め合わせて、接着や溶着することなく共鳴室２１ａ,２１ｂの間を仕切る構成であるから、仕切り壁２６の先端面および側端面を相手方と溶着するために厚く設定する必要がなくなる。これにより、仕切り壁２６を薄く設定することが可能となり、板厚に起因した成形収縮による仕切り壁２６の変形自体を抑えることができる。
【００２７】
第１分割部２２および第２分割部２４は、接合部３２,３８を溶融させて接合されるので、その接合代にわずかなばらつき(誤差)が生じてしまう。実施例のレゾネータ２０によれば、互いに外縁を突き合わせた際に嵌合部４０に嵌まった仕切り壁２６の先端面と嵌合部４０の底との間に隙間があくように設定されているから、当該隙間によって、第１分割部２２と第２分割部２４との溶着により発生する誤差を吸収することができる。
【００２８】
このように、レゾネータ２０は、共鳴室２１ａ,２１ｂの間が仕切り壁２６で適切に仕切られているから、それぞれの共鳴室２１ａ,２１ｂにおいて狙いとする周波数成分を効果的に低減することができる。しかも、第１分割部２２が吸気ダクト１０における空気流通路１２を画成する第１ダクト分体１４と一体的に形成されているから、部品点数を減らすことができる。従来のように仕切り壁２６の先端縁を溶着する構造であると、仕切り壁２６を厚くする必要がある。実施例では、案内部４２によって仕切り壁２６を嵌合部４０に確実に挿入することができるので、仕切り壁２６を厚く設定する必要がなくなり、仕切り壁２６を薄く設定してレゾネータ２０の軽量化を図ることができる。更に、変形を防止するために長く設定されていた成形サイクルを短縮化することができる。案内部４２は、第２外壁３６と同一方向へ延出する形状であるので、スライド機構などの複雑な構成は必要がなく、簡易な型設備で実現可能である。案内部４２を増やしたり、案内部４２を大きくしたり、案内面４３の角度を変えるなど調節は、成形型を切削することで可能であるから、成形型の改造費用を低減することができる。
【００２９】
(変更例)
前述した実施例に限らず、例えば以下のようにも変更可能である。
(１)レゾネータは、仕切り壁によって共鳴空間を３つ以上の共鳴室に仕切る構成であってもよい。
(２)仕切り壁は、第１分割部の外縁よりも外方へ延出せず、先端縁が第１分割部の外縁と揃う、または第１分割部の内側に位置する構成であってもよい。この場合、嵌合部が第２分割部の外縁より外方へ延出する。
(３)第２分割部を、ダクトにおける空気流通路を画成するダクト分体と一体的に形成してもよい。
【符号の説明】
【００３０】
１０ 吸気ダクト(ダクト)，１２ 空気流通路，１４ 第１ダクト分体(ダクト分体)，
２１ 共鳴空間，２１ａ 第１共鳴室，２１ｂ 第２共鳴室，２２ 第１分割部，
２４ 第２分割部，２６ 仕切り壁，４０ 嵌合部，４２ 案内部，４３ 案内面，
４４ 挟持部
【図１】
0006539576.tif 000002
【図２】
0006539576.tif 000003
【図３】
0006539576.tif 000004
【図４】
0006539576.tif 000005
【図５】
0006539576.tif 000006
【図６】
0006539576.tif 000007
【図７】
0006539576.tif 000008